(57)【要約】【課題】新たな構造の装飾性を備えた装飾真珠の提供を図る。【解決手段】真珠玉１１とこれに取り付けられた装飾部材２１とを備える。真珠玉１１は略球状の表面から凹んだ凹部１２を備える。この凹部１２は、有底の凹部であり、漏斗状の略円錐形状に凹んだ受け部１３とその中央に設けられた軸固定部１４とからなる。この凹部１２には、装飾部材２１が配置され固定されている。装飾本体２２は、その表面２３が凹状をなすため、真珠玉１１の略球状の表面から凹んでおり、その分装飾面積が増加しており、種々の装飾を施すことができると共に、斬新な装飾感を看者に与えることができる。【選択図】  図３
0003217072.tif 000002
【実用新案登録請求の範囲】
【請求項１】
真珠玉と前記真珠玉に取り付けられた装飾部材とを備えた加飾真珠において、
前記真珠玉は球状の表面から凹んだ凹部を備え、
前記凹部に装飾部材が配置され、
前記装飾部材の少なくとも一部の表面は前記真珠玉の略球状の表面から凹んでいることを特徴とする装飾真珠。
【請求項２】
前記凹部は有底の凹部であり、前記凹部に表面が凹状の前記装飾部材が固定されていることを特徴とする請求項１記載の装飾真珠。
【請求項３】
真珠玉と前記真珠玉に取り付けられた装飾部材とを備えた装飾真珠において、
前記真珠玉は前記真珠玉を貫通した貫通孔を備え、前記貫通孔の内周面に前記装飾部材が固定され、前記装飾部材によって装飾された前記貫通孔の内周面が外部から見えることを特徴とする装飾真珠。
【考案の詳細な説明】
【技術分野】
【０００１】
本考案は、真珠玉と前記真珠玉に取り付けられた装飾部材とを備えた装飾真珠に関するものである。
【背景技術】
【０００２】
従来、特許文献１乃至３に示すように、真珠玉に形成した凹部に宝石等の装飾部材を埋め込んで装飾性を高めた装飾真珠が知られている。例えば特許文献１ではダイヤモンドを確実に固定するために凹部を真珠玉に設け、凹部と真珠玉とを接着剤で固定して、真珠玉の装飾性を高めた装飾真珠が提案されている。
【０００３】
ところがこれらの先行技術では、装飾部材を取り付けるために凹部を設けているに止まり、装飾部材の表面は真珠玉の略球状の表面と面一であるかそれよりも突出しているものであった。
【先行技術文献】
【特許文献】
【０００４】
【特許文献１】登録実用新案第３００９３１１号公報
【特許文献２】登録実用新案第３１６３７９８号公報
【特許文献３】登録実用新案第３１６７４８１号公報
【考案の概要】
【考案が解決しようとする課題】
【０００５】
本考案の課題は、新たな構造の装飾性を備えた装飾真珠の提供を図ることにある。
【課題を解決するための手段】
【０００６】
本考案は、真珠玉と前記真珠玉に取り付けられた装飾部材とを備えた装飾真珠において、前記真珠玉は略球状の表面から凹んだ凹部を備え、前記凹部に装飾部材が配置され、前記装飾部材の少なくとも一部は前記真珠玉の略球状の表面から凹んでいる装飾真珠を提供することによって上記の課題を解決する。
前記凹部は有底の凹部であり、表面が凹状の前記装飾部材が前記凹部に固定されているものとして実施することができる。
【０００７】
また本考案は、真珠玉と前記真珠玉に取り付けられた装飾部材とを備えた装飾真珠において、前記真珠玉は前記真珠玉を貫通した貫通孔を備え、前記貫通孔の内周面に前記装飾部材が固定され、前記装飾部材によって装飾された前記貫通孔の内周面が外部から見えることを特徴とする装飾真珠を提供することによって上記の課題を解決する。
【考案の効果】
【０００８】
本考案は、装飾部材の少なくとも一部の表面が、真珠玉の略球状の表面から凹んでいるという新たな構造を備えた装飾真珠を提供し得たものである。
この新たな構造によって、真珠表面の装飾面積よりも大きな装飾面積を装飾部材に与えることができる。
【図面の簡単な説明】
【０００９】
【図１】本考案の第１の実施の形態に係る装飾真珠の斜視図。
【図２】（Ａ）同装飾真珠の装飾部材の表面側からの斜視図、（Ｂ）同装飾真珠の装飾部材の裏面側からの斜視図。
【図３】（Ａ）同装飾真珠の断面図、（Ｂ）同実施の形態に係る装飾真珠の変更例の断面図、（Ｃ）同実施の形態に係る装飾真珠の変更例の断面図。
【図４】（Ｂ）同装飾真珠の装飾部材の平面図、（Ｂ）同実施の形態に係る装飾部材の変更例の平面図。
【図５】（Ａ）本考案の第１の実施の形態に係る装飾真珠の断面図、（Ｂ）同実施の形態に係る装飾真珠の変更例の断面図。
【考案を実施するための形態】
【００１０】
以下、図面に基づき本考案の実施の形態を説明する。
まず図１〜図４を参照して本考案の第１の実施の形態に係る装飾真珠について説明する。
この装飾真珠は、真珠玉１１とこれに取り付けられた装飾部材２１とを備える。真珠玉１１は略球状の表面から凹んだ凹部１２を備える。この凹部１２は、有底の凹部であり、漏斗状の略円錐形状に凹んだ受け部１３とその中央に設けられた軸固定部１４とからなる。
【００１１】
この凹部１２には、装飾部材２１が配置され固定されている。装飾部材２１は、略円錐形状の表面を備えた漏斗状の装飾本体２２と、その中央から下方に伸びる軸部２４とを備えている。
この軸部２４が軸固定部１４に挿入され、装飾本体２２が受け部１３に沿わされて、接着剤（図示せず）で固定されている。
【００１２】
装飾本体２２は、その表面２３の少なくとも一部が装飾本体２２の上端から凹んだ凹状をなす。そのため、図３に仮想線で示す真珠玉１１の略球状の表面から凹んでおり、その分装飾面積が増加しており、その表面に種々の装飾を施すことができると共に、斬新な加飾感を看者に与えることができる。真珠玉１１は数学的の意味での真球であるものに限らず、略球状であれば足り、楕円形や一部にひずみがあるものも含まれると解すべきである。
なお、図３（Ａ）に示すように、装飾本体２２の上端部分は真珠玉１１の略球状の表面から突出させることもできるし、面一であっても構わないし、凹んでいるものとして実施することもできる。また図２（Ａ）に示すように、この例ではアルファベットを装飾として用いているが、文字以外の模様や図形であっても構わない。
【００１３】
装飾部材２１の材質は特に限定されるものではなく、金銀プラチナなどの貴金属やその他の金属であっても構わないし、宝石などの鉱物、サンゴ、木、紙、うるし、ガラス、合成樹脂などでであっても構わないし、これらの複合材料であっても構わない。固定手段は接着剤であっても構わないし、接着剤以外に材質に応じた固定手段に変更して実施することができる。
【００１４】
図３（Ｂ）（Ｃ）に示すように、凹部１２の傾斜角度は種々変更して実施することができるし、その開口面積も種々変更して実施することができる。
また、装飾本体２２の表面２３の凹部の形状は、図４（Ａ）に示すように、平面視円形の略円錐形に凹んだものであって構わないし、図４（Ｂ）に示すように、平面視多角形の略角錐形に凹んだものであって構わないし、さらに複雑な不定形状であって構わない。
【００１５】
次に図５を参照して本考案の第２の実施の形態に係る装飾真珠について説明する。
この装飾真珠は、真珠玉３１とこれに取り付けられた装飾部材４１とを備える。真珠玉３１は略球状の表面から貫通した貫通孔３２を備える。
【００１６】
この貫通孔３２には、筒状の装飾部材４１が配置され固定されている。装飾部材４１の内周面４２の形状は、図４（Ａ）に示すように、その径が徐々に変化する略円錐形であって構わないし、図４（Ｂ）に示すように、径が一定な略円筒形であって構わないし、多角筒状やさらに複雑な不定形状であって構わない。
【００１７】
装飾部材４１の材質は特に限定されるものではなく、金銀プラチナなどの貴金属やその他の金属であっても構わないし、宝石などの鉱物、サンゴ、木、紙、うるし、ガラス、合成樹脂などでであっても構わないし、これらの複合材料であっても構わない。固定手段は接着剤であっても構わないし、接着剤以外に材質に応じた固定手段に変更して実施することができる。
【符号の説明】
【００１８】
１１，３１  真珠玉
１２  凹部
１３  受け部
１４  軸固定部
２１，４１  装飾部材
２２  装飾本体
２３  表面
２４  軸部
３２  貫通孔
４２  内周面
【図１】
0003217072.tif 000003
【図２】
0003217072.tif 000004
【図３】
0003217072.tif 000005
【図４】
0003217072.tif 000006
【図５】
0003217072.tif 000007